(57)【要約】      （修正有）【課題】アンチエイジングの観点から頭部に好影響を積極的に与える眼鏡フレームを提供し、又その眼鏡フレームを有する眼鏡を提供する。【解決手段】眼鏡フレーム２では、テンプル１６から延びており、装用者の頭部の側部に接触可能である第１リフトアップアーム３０及び第２リフトアップアーム３２が、双方のテンプル１６において複数設けられている。又、眼鏡フレーム２では、第１リフトアップアーム３０の先端部が、テンプル１６の後部との角度が約１５０°となるように配置されており（中心線Ｄ１参照）、第２リフトアップアーム３２の先端部が、テンプル１６の後部との角度が約７０°となるように配置されている（中心線Ｄ２参照）。加えて、この眼鏡フレーム２を用いて眼鏡１が形成される。【選択図】図２
2020038261.tif 000002
【特許請求の範囲】
【請求項１】
テンプルから延びており、装用者の頭部の側部に接触可能であるアームが、少なくとも一方のテンプルにおいて複数設けられている
ことを特徴とする眼鏡フレーム。
【請求項２】
テンプルから延びており、装用者の頭部の側部に接触可能であるアームが設けられており、
前記アームの先端部が、前記テンプルより上方に配置され、あるいは前記テンプルの後部との角度が４５°以上となるように配置されている
ことを特徴とする眼鏡フレーム。
【請求項３】
前記アームは、螺旋状の部分を含んでいる
ことを特徴とする請求項１又は請求項２に記載の眼鏡フレーム。
【請求項４】
前記アームは、装用者の側頭筋の外側に接触可能である
ことを特徴とする請求項１ないしは請求項３の何れかに記載の眼鏡フレーム。
【請求項５】
請求項１ないしは請求項４の何れかに記載の眼鏡フレームが用いられている
ことを特徴とする眼鏡。
【発明の詳細な説明】
【技術分野】
【０００１】
本発明は、眼鏡レンズ（度無しレンズ及びサングラスレンズを含む）を枠入れして眼鏡を作製するための眼鏡フレーム、及び当該眼鏡フレームを用いた眼鏡に関する。
【背景技術】
【０００２】
眼鏡フレームとして、特開２００４−７７６３７号公報（特許文献１）に記載のものが知られている。
この眼鏡フレームでは、両側テンプル５，５の内面側に、頬骨の上部（目元）へ弾力的に当接するずり落ち防止部材８が取り付けられている。
【先行技術文献】
【特許文献】
【０００３】
【特許文献１】特開２００４−７７６３７号公報
【発明の概要】
【発明が解決しようとする課題】
【０００４】
上記の眼鏡フレームでは、装用時に一対のずり落ち防止部材８が頬骨の上部を両側から弾力的に挟むことにより、眼鏡フレームの前方へのずり落ちが防止され、又鼻にかかる眼鏡フレームの重量負担が少なくなる。
しかし、上記の眼鏡フレームでは、テンプル５の後部と３０°程度の角度をもって後斜め下に延びる一対のずり落ち防止部材８により、頬骨の後側にある側頭筋を外側から前斜め上に引っ張るような力がかかることとなり、側頭筋の緊張を発生させ得る等、顔ひいては頭部にアンチエイジングの観点から悪影響を及ぼす可能性がある。
又、アンチエイジングの観点から顔を中心とした頭部に好影響を積極的に与える眼鏡フレームの提案は、現状見受けられない。
そこで、本発明の主な目的は、アンチエイジングの観点から頭部に好影響を積極的に与える眼鏡フレームを提供し、又その眼鏡フレームを有する眼鏡を提供することである。
【課題を解決するための手段】
【０００５】
上記目的を達成するために、請求項１に記載の発明は、眼鏡フレームであって、テンプルから延びており、装用者の頭部の側部に接触可能であるアームが、少なくとも一方のテンプルにおいて複数設けられていることを特徴とするものである。
請求項２に記載の発明は、テンプルから延びており、装用者の頭部の側部に接触可能であるアームが設けられており、前記アームの先端部が、前記テンプルより上方に配置され、あるいは前記テンプルの後部との角度が４５°以上となるように配置されていることを特徴とするものである。
請求項３に記載の発明は、上記発明において、前記アームは、螺旋状の部分を含んでいることを特徴とするものである。
請求項４に記載の発明は、上記発明において、前記アームは、装用者の側頭筋の外側に接触可能であることを特徴とするものである。
上記目的を達成するために、請求項５に記載の発明は、眼鏡であって、上記発明の眼鏡フレームが用いられていることを特徴とするものである。
【発明の効果】
【０００６】
本発明の主な効果は、アンチエイジングの観点から頭部に好影響を与える眼鏡フレームが提供され、又その眼鏡フレームを有する眼鏡が提供されることである。
【図面の簡単な説明】
【０００７】
【図１】本発明の第１形態に係る眼鏡の（ａ）上面図，（ｂ）前面図である。
【図２】図１（ａ）の左面図である。
【図３】本発明の第２形態に係る眼鏡の（ａ）上面図，（ｂ）前面図である。
【図４】（ａ）は図２（ａ）の左面図であり、（ｂ）は装用時における（ａ）同様図である。
【図５】本発明の第３形態に係る眼鏡の（ａ）上面図，（ｂ）前面図である。
【図６】図５（ａ）の左面図である。
【発明を実施するための形態】
【０００８】
以下、本発明に係る実施の形態の例が、適宜図面を用いて説明される。尚、本発明の実施の形態は、以下のものに限定されない。
【０００９】
［第１形態］
図１（ａ）は、本発明の第１形態に係る眼鏡１の上面図である。図１（ｂ）は、眼鏡１の前面図である。図２は、眼鏡１の左面図である。
眼鏡１の前後上下左右は、ここでは装用者を基準とする。
【００１０】
眼鏡１は、眼鏡フレーム２に、一対の眼鏡レンズ４が枠入れされて形成される。
尚、眼鏡レンズ４は、度付きであっても度無しであっても良く、色付き（有色透明）であっても色無し（無色透明）であっても良い。眼鏡レンズ４は、各種のコーディングが施されていても良いし、施されていなくても良い。
【００１１】
眼鏡フレーム２は、一対の眼鏡レンズ４を嵌めるフレーム本体１０と、フレーム本体１０の左右に対して取り付けられており外側及び後方に延びる一対の爪１２と、各爪１２の後端部に設けられた蝶番１４を介して装用時に後方に延びるテンプル１６と、を備えている。
【００１２】
フレーム本体１０は、後面中央部において、後面視でハの字状に配置されておりそれぞれ後方に突出した一対の鼻ガード２０を有している。
各テンプル１６は全体として前後方向に延びており、その後部は耳当て２２で覆われている。各テンプル１６は、蝶番１４により、非装用時にフレーム本体１０へ折り畳み可能である。尚、各テンプル１６は、その後端部（耳当て２２の後部）が斜め下向きとなるように曲げられていても良い。
【００１３】
各テンプル１６の前端部の内側には、第１リフトアップアーム３０が配置されており、その後方であって耳当て２２より前方には、第２リフトアップアーム３２が配置されている。右の第１リフトアップアーム３０及び第２リフトアップアーム３２は、左のものと左右対称であり、以下主に左のものが説明される。
尚、テンプル１６の一方のみに第１リフトアップアーム３０及び第２リフトアップアーム３２が設けられても良いし、テンプル１６の一方に第１リフトアップアーム３０又は第２リフトアップアーム３２が設けられ、他方に第１リフトアップアーム３０及び第２リフトアップアーム３２が設けられても良い。又、第３，第４・・のリフトアップアームが設けられても良い。
【００１４】
第１リフトアップアーム３０は、金属製で螺旋状の第１スプリング４０と、樹脂製の第１パッド４２と、を有している。尚、これらの材質は、他のものに変更可能であり、他の部材についても同様である。
第１スプリング４０の基端部は、後方に延びる状態でテンプル１６前端部の内側に固定される。この固定は、溶接、接着若しくはカシメ、又はこれらの組合せによりなされ、以下同様である。
第１スプリング４０の中央部は、徐々に左右方向の内側へ向かうと共に、左方から見て時計回りで楕円形状に巻かれている。
第１スプリング４０の先端部は、後上側から前下方へ前下がりになっており、即ち左方から見て右上から左下に向かっている（図２の中心線Ｄ１参照）。第１スプリング４０の中央部における楕円形状の長軸は、中心線Ｄ１と同様な方向となっている。中心線Ｄ１は、テンプル１６の後部に対して、１５０°程度の角度をもっている。
そして、第１スプリング４０の先端部には、第１パッド４２が差し込みにより取り付けられている。第１パッド４２は、第１スプリング４０より厚い板状であり、左方から見て、第１スプリング４０の先端部と同様な方向を向いた、前方へ広がる水滴形状を呈している。尚、第１パッド４２は、円形など、他の形状とされても良く、他の部材についても同様である。又、第１パッド４２は、軸受等を介して取り付けられても良く、他の部材についても同様である。
第１パッド４２は、装用時、フレーム本体１０の左下部の後方に位置し、装用者の目元の側方であって、頬骨の側面部の外側であり、側頭筋の前端部の外側に接触する。
【００１５】
第２リフトアップアーム３２は、螺旋状の第２スプリング５０と、第２パッド５２と、を有している。
第２スプリング５０の基端部は、後方に延びる状態で、テンプル１６の内側であって第１スプリング４０の基端部の後側に固定される。第１スプリング４０の基端部及び第２スプリング５０の基端部は、共に後方に延びているため、テンプル１６の前端部から耳当て２２までの間において配置し易い。
第２スプリング５０の中央部は、楕円形状の長軸が後ろ下がりの中心線Ｄ２と同様な方向となっていることを除き、第１スプリング４０の中央部と同様に形成されている。
第２スプリング５０の先端部は、前上側から後下方へ後下がりになっており、即ち左方から見て左上から右下に向かっている（図２の中心線Ｄ２参照）。中心線Ｄ２は、テンプル１６の後部に対して、７０°程度の角度をもっている。
そして、第２スプリング５０の先端部には、第２パッド５２が、第１パッド４２と同様に取り付けられている。
第２パッド５２は、装用時、第１パッド４２の後方、より詳しくは第１パッド４２の後で僅かに下方に位置し、装用者の頬骨弓の上側の外側であって、側頭筋の中央部の外側に接触する。
【００１６】
眼鏡１は、装用されると、左右の第１パッド４２及び左右の第２パッド５２が装用者に接触し、左右の第１リフトアップアーム３０及び左右の第２リフトアップアーム３２により、左右の眼鏡レンズ４が対応する眼の前方となる所定位置（装用位置）で支持される。眼鏡１では、鼻ガード２０は、支持に寄与せず、フレーム本体１０が装用位置から後方に移動した場合に、鼻及び眼の周りの少なくとも一方に当たることを防止するために設けられている。尚、鼻ガード２０は省略されても良い。又、鼻ガード２０においても眼鏡１が支持されても良いし、鼻ガード２０に代えて鼻アーム、軸受及び鼻当てが配置されても良い。
【００１７】
眼鏡１の装用時、左右の第１パッド４２及び左右の第２パッド５２は、それぞれ第１スプリング４０又は第２スプリング５０の左右方向の弾性により、装用者の側頭筋を内側へ柔軟に押す。これにより、装用者の側頭筋がほぐされ、側頭筋の緊張状態が緩和されて、側頭筋の弾力が増し、側頭筋が頬及び顎をよりしっかりと支えるようになって、装用者の頭部における顔のリフトアップが図られる。
又、左右の第１パッド４２は、第１スプリング４０の先端部の方向の弾性により、第１パッド４２から見て第１スプリング４０の先端部の続く方向、即ち中心線Ｄ１に沿う後斜め上の方向に比較的弱く引っ張られて、側頭筋の前端部を当該方向に柔軟に引く。これにより、装用者の側頭筋の前端部が後上方に柔軟に押されて、装用者の頭部における顔のリフトアップが図られる。
更に、左右の第２パッド５２は、第２スプリング５０の先端部の方向の弾性により、第２パッド５２から見て第２スプリング５０の先端部の続く方向、即ち中心線Ｄ２に沿う前斜め上の方向に比較的弱く引っ張られて、側頭筋の中央部を当該方向に柔軟に引く。これにより、装用者の側頭筋の中央部が前上方に柔軟に押されて、装用者の頭部における顔のリフトアップが図られる。
【００１８】
以上の眼鏡フレーム２では、テンプル１６から延びており、装用者の頭部の側部に接触可能である第１リフトアップアーム３０及び第２リフトアップアーム３２が、双方のテンプル１６において複数設けられている。よって、第１リフトアップアーム３０及び第２リフトアップアーム３２が装用者の頭部の各側部の複数箇所をほぐして、アンチエイジングの観点から頭部に顔のリフトアップ等の好影響を積極的に与えることとなる。
又、眼鏡フレーム２では、テンプル１６から延びており、装用者の頭部の側部に接触可能である第１リフトアップアーム３０及び第２リフトアップアーム３２が設けられており、第１リフトアップアーム３０の先端部が、テンプル１６の後部との角度が約１５０°となるように配置されており（中心線Ｄ１参照）、第２リフトアップアーム３２の先端部が、テンプル１６の後部との角度が約７０°となるように配置されている（中心線Ｄ２参照）。よって、第１リフトアップアーム３０及び第２リフトアップアーム３２は、その延びる方向での弾性力により、頭部の接触部を持ち上げる作用を及ぼし、アンチエイジングの観点から頭部に顔のリフトアップ等の好影響を積極的に与えることとなる。尚、第１リフトアップアーム３０及び第２リフトアップアーム３２のように、先端部とテンプル１６の後部との角度が４５°以上あれば、あるいは先端部がテンプルより上方に配置されれば、先端部の延びる方向での伸縮により、頭部に持ち上げ作用を施すことができる。
【００１９】
更に、第１リフトアップアーム３０及び第２リフトアップアーム３２は、螺旋状の部分である第１スプリング４０，第２スプリング５０を含んでいる。よって、第１リフトアップアーム３０及び第２リフトアップアーム３２が、第１スプリング４０，第２スプリング５０の弾性力により柔軟に、装用者に適度に接触し、頭部に顔のリフトアップ等の好影響を積極的に与える。
又更に、第１リフトアップアーム３０及び第２リフトアップアーム３２は、装用者の側頭筋の外側に接触可能であるから、頭部における顔のリフトアップのために重要な側頭筋に好影響が積極的に与えられる。
加えて、眼鏡フレーム２が用いられて形成された眼鏡１は、眼鏡フレーム２と同様の特徴を備えており、同様の作用効果を奏する。
【００２０】
［第２形態］
図３（ａ）は、本発明の第２形態に係る眼鏡１０１の上面図である。図３（ｂ）は、眼鏡１０１の前面図である。図４（ａ）は、眼鏡１の左面図である。図４（ｂ）は、装用時における図４（ａ）同様図である。
眼鏡１０１は、第１形態の眼鏡１と、各テンプルないし各リフトアップアームを除き、同様に成る。眼鏡１と同様に成る部分については、適宜同じ符号が付され、説明が省略される。
【００２１】
眼鏡１０１における眼鏡フレーム１０２の各蝶番１４には、後方へ延びる金属製のビーム１１６が接続されている。
各ビーム１１６の前端部には、後方に延びており後部に耳当て２２を有するテンプル後部１１７が固定されている。ビーム１１６の前端部及びテンプル後部１１７が、第１形態のテンプル１６の役目を担う。尚、耳当て２２の後部は、前部に対して下方となるように曲げられている。
【００２２】
各ビーム１１６の中央部には、後方に延びる第３リフトアップアーム１３０が固定されている。各第３リフトアップアーム１３０は、後部が上方へカーブしている針金状の第３リフトアップアーム本体１３１と、第３リフトアップアーム本体１３１の後端部に取り付けられた第３パッド１３２と、を有する。
各第３リフトアップアーム本体１３１の先端部（後端部）は、後ろ上がりとなっており、即ち左方から見て左下から右上に向かっている（図４（ａ）の中心線Ｄ３参照）。第３リフトアップアーム１３０の先端部における第３パッド１３２は、テンプル後部１１７（耳当て２２）より上方に位置している。第３リフトアップアーム本体１３１の先端部（中心線Ｄ３）と、テンプル後部１１７（屈曲部より前方の部分）とがなす角度は、７０°程度である。
各第３パッド１３２は、装用者の頭部Ｈの耳Ｅの上方に接触し、側頭筋後端部の外側に配置される。
【００２３】
各ビーム１１６の後部は、装用時に耳Ｅまで達し、耳Ｅの外形と同様に形成された第４リフトアップアーム１４０とされている。各第４リフトアップアーム１４０は、針金状の第４リフトアップアーム本体１４１と、第４リフトアップアーム本体１４１の先端部に取り付けられた第４パッド１４２と、を有する。
第４リフトアップアーム本体１４１の先端部は、上方を向いており、左方から見て真上から僅かに左に向かっている（図４（ａ）の中心線Ｄ４参照）。第４リフトアップアーム本体１４１の先端部（中心線Ｄ４）と、テンプル後部１１７（屈曲部より前方の部分）とがなす角度は、８０°程度である。
第４パッド１４２は、頭部Ｈの耳Ｅの下部の前方に接触し、顎関節の外側に配置される。
【００２４】
眼鏡１０１は、装用されると、左右の第３パッド１３２及び左右の第４パッド１４２が装用者の頭部Ｈに接触し、左右の第３リフトアップアーム１３０及び左右の第４リフトアップアーム１４０により、左右の眼鏡レンズ４が対応する眼の前方となる所定位置（装用位置）で支持される。
【００２５】
眼鏡１０１の装用時、左右の第３パッド１３２は、第３リフトアップアーム本体１３１の左右方向の弾性により、装用者の頭部Ｈの側頭筋の後端部を内側へ柔軟に押す。これにより、頭部Ｈの側頭筋がほぐされ、側頭筋の緊張状態が緩和されて、側頭筋の弾力が増し、側頭筋が頬及び顎をよりしっかりと支えるようになって、装用者の頭部Ｈにおける顔のリフトアップが図られる。
更に、左右の第３パッド１３２は、第３リフトアップアーム本体１３１の先端部の方向の弾性により、第３パッド１３２から見て第３リフトアップアーム本体１３１の先端部の続く方向、即ち中心線Ｄ３に沿う方向に伸縮し（図４（ｂ）の両矢印参照）、伸張した場合には、側頭筋の後端部を当該方向に柔軟に押し上げる（同図の矢印参照）。これにより、装用者の頭部Ｈにおける顔のリフトアップが図られる。
【００２６】
又、左右の第４パッド１４２は、第４リフトアップアーム本体１４１の左右方向の弾性により、装用者の頭部Ｈの顎関節を内側へ柔軟に押す。これにより、装用者の顎関節がほぐされ、顎関節の緊張状態が緩和されて、装用者の頭部Ｈにおける顔のリフトアップが図られる。
更に、左右の第４パッド１４２は、第４リフトアップアーム本体１４１の先端部の方向の弾性により、第４パッド１４２から見て第４リフトアップアーム本体１４１の先端部の続く方向、即ち中心線Ｄ４に沿う方向に伸縮し（図４（ｂ）の両矢印参照）、伸張した場合には、顎関節上の皮膚を当該方向に柔軟に押し上げる。これにより、装用者の頭部Ｈの頬の皮膚及び筋肉が上方に柔軟に押されて、装用者の頭部Ｈにおける顔のリフトアップが図られる。
【００２７】
以上の眼鏡フレーム１０２では、各ビーム１１６の前端部（テンプル）から延びており、装用者の頭部Ｈの側部に接触可能である第３リフトアップアーム１３０及び第４リフトアップアーム１４０が、双方のビーム１１６前端部において複数設けられている。よって、第３リフトアップアーム１３０及び第４リフトアップアーム１４０が装用者の頭部Ｈの各側部の複数箇所をほぐして、アンチエイジングの観点から頭部Ｈに顔のリフトアップ等の好影響を積極的に与えることとなる。
又、眼鏡フレーム１０２では、各ビーム１１６の前端部から延びており、装用者の頭部Ｈの側部に接触可能である第３リフトアップアーム１３０及び第４リフトアップアーム１４０が設けられており、各第３リフトアップアーム１３０の先端部が、各ビーム１１６の前端部ないしテンプル後部１１７より上方に配置されており、各第４リフトアップアーム１４０の先端部が、各テンプル後部１１７との角度が約８０°となるように配置されている。（中心線Ｄ４参照）よって、第３リフトアップアーム１３０及び第４リフトアップアーム１４０は、その延びる方向での弾性力により、頭部Ｈの接触部を持ち上げる作用を及ぼし、アンチエイジングの観点から頭部Ｈに顔のリフトアップ等の好影響を積極的に与えることとなる。
【００２８】
又更に、第３リフトアップアーム１３０は、装用者の頭部Ｈの側頭筋の外側に接触可能であるから、頭部Ｈにおける顔のリフトアップのために重要な側頭筋に好影響が積極的に与えられる。
加えて、眼鏡フレーム１０２が用いられて形成された眼鏡１０１は、眼鏡フレーム１０２と同様の特徴を備えており、同様の作用効果を奏する。
【００２９】
［第３形態］
図５（ａ）は、本発明の第３形態に係る眼鏡２０１の上面図である。図５（ｂ）は、眼鏡２０１の前面図である。図６は、眼鏡１の左面図である。
眼鏡２０１は、第２形態の眼鏡１０１と、各テンプルないし各リフトアップアームを除き、同様に成る。眼鏡１０１と同様に成る部分については、適宜同じ符号が付され、説明が省略される。
【００３０】
眼鏡２０１における眼鏡フレーム２０２の各蝶番１４には、後方へ延びる金属製のテンプル２１６が接続されている。テンプル２１６の後部には、耳当て２２が固定されている。尚、耳当て２２は、後方にまっすぐ延びている。
【００３１】
各テンプル２１６の前部には、上方から見て“Ｕ”字状である第５リフトアップアーム２２０が形成されている。
各第５リフトアップアーム２２０は、針金状の第５リフトアップアーム本体２２１と、第５リフトアップアーム本体２２１の先端部に取り付けられた第５パッド２２２と、を有する。
各第５リフトアップアーム本体２２１の基端部は、テンプル２１６と一体とされている。各第５リフトアップアーム本体２２１の中央部は、基端部から後斜め下方に延び、左右方向内方に延びて、前斜め上方に延びる。各第５リフトアップアーム本体２２１の先端部は、前斜め上方に向かっており、即ち左方から見て右下から左上に向かっている（図６の中心線Ｄ５参照）。第５リフトアップアーム本体２２１の先端部（中心線Ｄ５）と、テンプル２１６とがなす角度は、１５５°程度である。
第５パッド２２２は、装用者の頭部Ｈにおける頬骨の側面部の外側であり、側頭筋の前部の外側に接触する。
【００３２】
又、各テンプル２１６の前部には、第２形態の第３リフトアップアーム１３０と同様に形成される第６リフトアップアーム２３０が形成されている。
各第６リフトアップアーム２３０は、針金状の第６リフトアップアーム本体２３１と、第６リフトアップアーム本体２３１の先端部に取り付けられた第６パッド２３２と、を有する。
各第６リフトアップアーム本体２３１の基端部は、テンプル２１６の前部と一体である。各第６リフトアップアーム本体２３１の先端部は、後ろ上がりとなっており、即ち左方から見て左下から右上に向かっている（図６の中心線Ｄ６参照）。第６リフトアップアーム２３０の先端部における第６パッド２３２は、テンプル２１６より上方に位置している。第６リフトアップアーム本体２３１の先端部（中心線Ｄ６）と、テンプル２１６後部とがなす角度は、１１０°程度である。
第６パッド２３２は、装用者の頭部Ｈの耳の上方に接触し、側頭筋後端部の外側に配置される。
【００３３】
更に、各テンプル２１６の後部であって、耳当て２２の前下部には、下方へ弧状に延びる二股針金状のアーム複合体２３３が固定されている。
各アーム複合体２３３における内側上方の一方の先端部は、第７リフトアップアーム２４０となっており、外側下方の他方の先端部は、第８リフトアップアーム２５０となっている。
各第７リフトアップアーム２４０は、第７リフトアップアーム本体２４１と、第７リフトアップアーム本体２４１の先端部に取り付けられた第７パッド２４２と、を有する。各第７リフトアップアーム２４０は、テンプル２１６より上方に位置している。各第７リフトアップアーム本体２４１の先端部は、上方に向かっている（図６の中心線Ｄ７参照）。第７リフトアップアーム本体２４１の先端部（中心線Ｄ７）と、テンプル２１６後部とがなす角度は、８５°程度である。第７パッド２４２は、装用者の頭部Ｈにおける耳の前側であって、顎関節上部の外側に接触する。
各第８リフトアップアーム２５０は、第８リフトアップアーム本体２５１と、第８リフトアップアーム本体２５１の先端部に取り付けられた第８パッド２５２と、を有する。各第８リフトアップアーム本体２５１の先端部は、上方に向かっている（図６の中心線Ｄ８参照）。第８リフトアップアーム本体２５１の先端部（中心線Ｄ８）と、テンプル２１６後部とがなす角度は、９２°程度である。第８パッド２５２は、装用者の頭部Ｈにおける胸鎖乳突筋の上端部の外側に接触する。
【００３４】
眼鏡２０１は、装用されると、左右の第５パッド２２２ないし左右の第８パッド２５２が装用者の頭部Ｈに接触し、左右の第５リフトアップアーム２２０及び左右の第８リフトアップアーム２５０により、左右の眼鏡レンズ４が対応する眼の前方となる所定位置（装用位置）で支持される。
【００３５】
眼鏡２０１の装用時、左右の第５パッド２２２は、第５リフトアップアーム本体２２１の左右方向の弾性により、装用者の頭部Ｈの側頭筋前部を内側へ柔軟に押す。これにより、頭部Ｈの側頭筋がほぐされ、側頭筋の緊張状態が緩和されて、側頭筋の弾力が増し、側頭筋が頬及び顎をよりしっかりと支えるようになって、装用者の頭部Ｈにおける顔のリフトアップが図られる。
又、左右の第５パッド２２２は、第５リフトアップアーム本体２２１の先端部の方向の弾性により、第５パッド２２２から見て第５リフトアップアーム本体２２１の先端部の続く方向、即ち中心線Ｄ５に沿う方向に伸縮し、伸張した場合には、側頭筋前部を当該方向に柔軟に押し上げる。これにより、装用者の頭部Ｈにおける顔のリフトアップが図られる。
【００３６】
更に、左右の第６パッド２３２は、第６リフトアップアーム本体２３１の左右方向の弾性により、装用者の頭部Ｈの側頭筋後端部を内側へ柔軟に押す。これにより、頭部Ｈの側頭筋がほぐされ、側頭筋の緊張状態が緩和されて、側頭筋の弾力が増し、側頭筋が頬及び顎をよりしっかりと支えるようになって、装用者の頭部Ｈにおける顔のリフトアップが図られる。
又、左右の第６パッド２３２は、第６リフトアップアーム本体２３１の先端部の方向の弾性により、第６パッド２３２から見て第６リフトアップアーム本体２３１の先端部の続く方向、即ち中心線Ｄ６に沿う方向に伸縮し、伸張した場合には、側頭筋後端部を当該方向に柔軟に押し上げる。これにより、装用者の頭部Ｈにおける顔のリフトアップが図られる。
【００３７】
更に、左右の第７パッド２４２は、第７リフトアップアーム本体２４１の左右方向の弾性により、装用者の頭部Ｈの顎関節上部を内側へ柔軟に押す。これにより、装用者の顎関節がほぐされ、顎関節の緊張状態が緩和されて、装用者の頭部Ｈのリフトアップが図られる。
又、左右の第７パッド２４２は、第７リフトアップアーム本体２４１の先端部の方向の弾性により、第７パッド２４２から見て第７リフトアップアーム本体２４１の先端部の続く方向、即ち中心線Ｄ７に沿う方向に伸縮し、伸張した場合には、顎関節上部上の皮膚を当該方向に柔軟に押し上げる。これにより、装用者の頭部Ｈの頬の皮膚及び筋肉が上方に柔軟に押されて、装用者の頭部Ｈにおける顔のリフトアップが図られる。
【００３８】
更に、左右の第８パッド２５２は、第８リフトアップアーム本体２５１の左右方向の弾性により、装用者の頭部Ｈの胸鎖乳突筋の上端部を内側へ柔軟に押す。これにより、装用者の胸鎖乳突筋がほぐされ、胸鎖乳突筋の緊張状態が緩和されて、装用者の頭部Ｈのリフトアップが図られる。
又、左右の第８パッド２５２は、第８リフトアップアーム本体２５１の先端部の方向の弾性により、第８パッド２５２から見て第８リフトアップアーム本体２５１の先端部の続く方向、即ち中心線Ｄ８に沿う方向に伸縮し、伸張した場合には、胸鎖乳突筋の上端部を当該方向に柔軟に押し上げる。これにより、装用者の頭部Ｈにおける胸鎖乳突筋の上端部が上方に柔軟に押されて、装用者の頭部Ｈにおける顔のリフトアップが図られる。
【００３９】
以上の眼鏡フレーム２０２では、各テンプル２１６から延びており、装用者の頭部Ｈの側部に接触可能である第５リフトアップアーム２２０ないしは第８リフトアップアーム２５０が、双方のテンプル２１６において複数設けられている。よって、第５リフトアップアーム２２０ないしは第８リフトアップアーム２５０が装用者の頭部Ｈの各側部の複数箇所をほぐして、アンチエイジングの観点から頭部Ｈに顔のリフトアップ等の好影響を積極的に与えることとなる。
又、眼鏡フレーム２０２では、各テンプル２１６から延びており、装用者の頭部Ｈの側部に接触可能である第５リフトアップアーム２２０ないしは第８リフトアップアーム２５０が設けられており、各第５リフトアップアーム２２０の先端部が、各テンプル２１６後部との角度が約１１５°となるように配置されており（中心線Ｄ５参照）、各第６リフトアップアーム２３０の先端部が、各テンプル２１６より上方に配置されており、各第７リフトアップアーム２４０の先端部が、各テンプル２１６後部との角度が約８５°となるように配置されており（中心線Ｄ７参照）、各第８リフトアップアーム２５０の先端部が、各テンプル２１６後部との角度が約９２°となるように配置されている（中心線Ｄ８参照）。よって、第５リフトアップアーム２２０ないしは第８リフトアップアーム２５０は、その延びる方向での弾性力により、頭部Ｈの接触部を持ち上げる作用を及ぼし、アンチエイジングの観点から頭部Ｈに顔のリフトアップ等の好影響を積極的に与えることとなる。
【００４０】
又更に、第５リフトアップアーム２２０は、装用者の頭部Ｈの側頭筋の外側に接触可能であるから、頭部Ｈにおける顔のリフトアップのために重要な側頭筋に好影響が積極的に与えられる。
加えて、眼鏡フレーム２０２が用いられて形成された眼鏡２０１は、眼鏡フレーム２０２と同様の特徴を備えており、同様の作用効果を奏する。
【符号の説明】
【００４１】
１，１０１，２０１・・眼鏡、２，１０２，２０２・・眼鏡フレーム、１６，２１６・・テンプル、３０・・第１リフトアップアーム（アーム）、３２・・第２リフトアップアーム（アーム）、４０・・第１スプリング（螺旋状の部分）、５０・・第２スプリング（螺旋状の部分）、１１６・・ビーム（前端部がテンプル前部に相当）、１１７・・テンプル後部、１３０・・第３リフトアップアーム（アーム）、１４０・・第４リフトアップアーム（アーム）、２２０・・第５リフトアップアーム（アーム）、２３０・・第６リフトアップアーム（アーム）、２４０・・第７リフトアップアーム（アーム）、２５０・・第８リフトアップアーム（アーム）、Ｈ・・頭部。
【図１】
2020038261.tif 000003
【図２】
2020038261.tif 000004
【図３】
2020038261.tif 000005
【図４】
2020038261.tif 000006
【図５】
2020038261.tif 000007
【図６】
2020038261.tif 000008